(57)【特許請求の範囲】
【請求項１】
水槽の後部側の側壁に沿って左右方向に位置を変更可能に設置された物品支持具が備わったシンクにおいて、
前記水槽の後部側の側壁またはその近傍上面と、前記物品支持具との一方に、左右方向に延びる環状の縁部内に形成された、長孔と、前記長孔が延びる左右方向に直交する方向に前記長孔の幅を拡張する一対の拡張部とからなるガイド孔と、前記縁部の奥側に位置する通路空間とが備わって、左右方向に延びる第１の係合部を設け、
前記水槽の後部側の側壁またはその近傍上面と、前記物品支持具との他方に、前記ガイド孔内を左右方向に移動可能な支軸部と、前記支軸部の先端に設けられ前記拡張部を挿通して前記通路空間内に入ることができるが前記長孔を挿通できない抜け止め用突部とからなり、前記一対の拡張部と同じ間隔で配置された一対の係合ピンが備わって、前記第１の係合部に沿って左右方向に移動可能な状態で前記第１の係合部に係合する第２の係合部を設け、
前記一対の拡張部の間の中心の位置を前記ガイド孔の左右方向の中心の位置からずらしたことを特徴とするシンク。
【発明の詳細な説明】
【技術分野】
【０００１】
本発明は、システムキッチンや流し台等のシンクに関する。
【背景技術】
【０００２】
従来から、システムキッチンや流し台等のシンクの中には、洗剤やスポンジ等の物品を置くための物品支持具が備わったものがある（例えば、特許文献１参照）。このシンク（流し）では、水槽の後部側のワークトップに一対の水洗が左右方向に間隔を保って設けられ、水槽の底面の後部側に排水口が設けられている。そして、排水口の上方に、両端が水槽の左右壁に掛け渡された支持材が配置され、その支持材と水槽の後部側の壁との間に物品収納棚が左右に移動可能に設けられている。
【先行技術文献】
【特許文献】
【０００３】
【特許文献１】特開平５−９９６３号公報
【発明の概要】
【０００４】
しかしながら、前述したシンクでは、物品収納棚を支持する支持材がシンクの後部側の壁よりも手前側に設けられているため、シンクで食器や野菜等を洗う場合には、支持材が邪魔になるという問題がある。
【０００５】
本発明は、前述した問題に対処するためになされたもので、その目的は、物品支持具を位置変更可能に支持するための係合部が、シンクの使用の際に邪魔になることのないシンクを提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明に係るシンクの構成上の特徴は、水槽（１１）の後部側の側壁（１２，４２，５２）に沿って左右方向に位置を変更可能に設置された物品支持具（２０，２０ａ，２０ｂ）が備わったシンク（１０，４０，５０）において、水槽の後部側の側壁またはその近傍上面（１３）と、物品支持具との一方に、左右方向に延びる環状の縁部（２２）内に形成された、長孔（２２ａ）と、長孔が延びる左右方向に直交する方向に長孔の幅を拡張する一対の拡張部（２２ｂ，２２ｃ）とからなるガイド孔と、縁部の奥側に位置する通路空間（２８ｄ）とが備わって、左右方向に延びる第１の係合部（２２，４１，５６）を設け、水槽の後部側の側壁またはその近傍上面と、物品支持具との他方に、ガイド孔内を左右方向に移動可能な支軸部（３１）と、支軸部の先端に設けられ拡張部を挿通して通路空間内に入ることができるが長孔を挿通できない抜け止め用突部（３２）とからなり、一対の拡張部と同じ間隔で配置された一対の係合ピン（３０ａ，３０ｂ）が備わって、第１の係合部に沿って左右方向に移動可能な状態で前記第１の係合部に係合する第２の係合部（３０ａ，３０ｂ，４３，５３）を設け、一対の拡張部の間の中心の位置をガイド孔の左右方向の中心の位置からずらしたことにある。
【０００７】
本発明に係るシンクでは、水槽の後部側（奥側）の側壁またはその近傍上面と、物品支持具とを、第１の係合部と第２の係合部との係合によって連結可能にしている。そして、第１の係合部が左右方向に延び、第２の係合部が第１の係合部に沿って左右方向に移動可能になっている。このため、シンクを使う際に、水槽内の左側部分で食器や野菜等を洗浄する場合には、物品支持具を右側に移動させ、水槽内の右側部分で食器や野菜等を洗浄する場合には、物品支持具を左側に移動させることができる。また、水槽内の中央部分で食器や野菜等を洗浄する場合には、物品支持具を右側または左側に移動させることができる。これによると、物品支持具が邪魔になることがなくなって、洗浄に使用するスペースを広く確保できる。
【０００８】
なお、水槽側に設ける第１の係合部または第２の係合部は、水槽の後部側の側壁に設けることが好ましいが、水槽の後部側の側壁の近傍上面であるいわゆるカウンターに設けることもできる。また、第１の係合部または第２の係合部が設けられる水槽側の部分は、水槽の後部側の側壁かその近傍上面であるため、第１の係合部または第２の係合部を設けるために、特にスペースを設ける必要はない。このため、第１の係合部または第２の係合部が、シンクの使用の際に邪魔になることはない。
【０００９】
また、本発明に係るシンクでは、第１の係合部に、左右方向に延びる環状の縁部内に形成された、長孔と、長孔が延びる左右方向に直交する方向に長孔の幅を拡張する一対の拡張部とからなるガイド孔と、縁部の奥側に位置する通路空間とが備わっており、第２の係合部に、ガイド孔内を左右方向に移動可能な支軸部と、支軸部の先端に設けられ拡張部を挿通して通路空間内に入ることができるが長孔を挿通できない抜け止め用突部とからなり、一対の拡張部と同じ間隔で配置された一対の係合ピンが備わっている。
【００１０】
本発明によると、一対の係合ピンをそれぞれ一対の拡張部に位置合わせして、水槽側に物品支持具を移動させることにより、一対の抜け止め用突部を一対の拡張部の奥側の通路空間に位置させることができる。そして、物品支持具を水槽側に対して左右方向に移動することにより一対の抜け止め用突部を長孔の奥側の通路空間に位置させることができ、その状態では、一対の抜け止め用突部は、長孔から抜け止めされた状態で長孔を形成する縁部に係合している。この場合、一対の支軸部は長孔内に位置し、一対の抜け止め用突部は、長孔を形成する縁部の奥側の通路空間に位置するため、物品支持具は、水槽に対して左右方向に移動可能になる。また、その状態で、物品支持具に不意に力が加わっても係合ピンが長孔から外れることはなく、物品支持具は水槽の近傍で適正状態に維持される。
【００１１】
本発明に係るシンクでは、一対の拡張部の間の中心の位置をガイド孔の左右方向の中心の位置からずらしている。本発明によると、一対の係合ピンの間の中心を、ガイド孔の左右方向の中心に位置させた状態で、物品支持具を水槽に設置したときに、物品支持具が水槽から脱落することを防止できる。すなわち、一対の抜け止め用突部を一対の拡張部内に通す際には、一対の係合ピン間の中心はガイド孔の左右の中心からずれた状態になり、一対の係合ピン間の中心をガイド孔の左右の中心に合わせたときには、一対の抜け止め用突部は長孔を形成する縁部の奥側の通路空間に位置して長孔から外れなくなる。
【００１２】
物品支持具は、通常、使いやすい位置、例えば、水槽の後部側の側壁の左右方向の中央に位置させておき、適宜、使用状態に応じて左右方向に同じ長さだけ移動させることができるようにすることが好ましい。このため、一対の拡張部間の中心の位置をガイド孔の左右方向の中心の位置からずらすとともに、水槽又は物品支持具に設ける一対の係合ピンの左右方向の中心を水槽の後部側の側壁の左右方向の中央に位置させ、一対の係合ピンの間の中心やガイド孔の左右方向の中心を合わせることにより、物品支持具の脱落を防止しつつ、物品支持具をより好ましい位置に設置することができる。
【図面の簡単な説明】
【００１３】
【図１】本発明の第１実施形態に係る網籠を左側に位置させた状態のシンクを示した斜視図である。
【図２】本発明の第１実施形態に係る網籠を右側に位置させた状態のシンクを示した斜視図である。
【図３】網籠を前部側上方から見た状態を示した斜視図である。
【図４】網籠を後部側側方から見た状態を示した斜視図である。
【図５】網籠の側面図である。
【図６】網籠のレール部を係合ピンに係合させた状態を示した斜視図である。
【図７】レール部と係合ピンとの係合状態を示した断面図である。
【図８】図６の網籠を左側に移動させた状態を示した斜視図である。
【図９】本発明の第２実施形態に係るシンクの要部を示した断面図である。
【図１０】本発明の第３実施形態に係るシンクの要部を示した断面図である。
【図１１】第３実施形態の網籠に備わった壁面部を示した後面図である。
【発明を実施するための形態】
【００１４】
（第１実施形態）
以下、本発明の第１実施形態を図面を用いて説明する。図１および図２は、同実施形態に係るシンク１０を示している。このシンク１０では、水槽１１の奥側の側壁１２に、本発明に係る物品支持具としての網籠２０が、図１に示した左側の位置と、図２に示した右側の位置との間で移動可能に設置されている。また、側壁１２の奥側上面のカウンター１３には左右に間隔を保って水栓１４と、浄水器水栓１５とが設けられている。そして、水槽１１の底面１６における奥側の左右方向の中央に排水口１７が形成されている。
【００１５】
網籠２０は、洗剤１８やスポンジ等を入れておくためのもので、図３ないし図５に示したように構成されている。網籠２０は、網籠本体２１と、レール部２２と、一対の緩衝部２３ａ，２３ｂとを備えている。網籠本体２１は、上下に間隔を保って配置された水平枠２４ａ，２４ｂ、左右に間隔を保って配置された略Ｕ字状の支持枠２５ａ，２５ｂおよび前後に間隔を保って配置された左右に長い略Ｕ字状の支持枠２６ａ，２６ｂ，２６ｃで構成されており、これらを組み付けることにより籠状に形成されている。
【００１６】
水平枠２４ａは、網籠本体２１の上部開口を構成する部材であり、金属棒を左右方向に長い四角枠体に形成して構成されている。また、水平枠２４ａの四隅は、それぞれ滑らかに湾曲した曲部で構成されている。水平枠２４ｂは、網籠本体２１の上下方向の中央よりも僅かに下方に配置されており、水平枠２４ａを構成する金属棒よりも細い金属棒を前後方向よりも左右方向に長い四角枠体に形成して構成されている。この水平枠２４ｂは、後部の左右部分を除く部分は、水平枠２４ａと略同形に形成されているが、後部左右にそれぞれ後方に突出する突出部２７ａ，２７ｂが形成されている。突出部２７ａ，２７ｂは、上方から見ると、水平枠２４ａの後部よりも後方に突出している。
【００１７】
そして、突出部２７ａの外周面に緩衝部２３ａが取り付けられ、突出部２７ｂの外周面に緩衝部２３ｂが取り付けられている。緩衝部２３ａ，２３ｂは、それぞれ弾性を備えた樹脂製の円筒体に軸方向に沿ったスリットを設けて構成されており、スリットを広げて突出部２７ａ，２７ｂの外周面に取り付けられている。突出部２７ａ，２７ｂの外周面に取り付けられた緩衝部２３ａ，２３ｂは弾性によって元の状態に復元して突出部２７ａ，２７ｂの外周面に密着している。この緩衝部２３ａ，２３ｂは、網籠２０を側壁１２に設置した際に、側壁１２に当接して網籠本体２１が直接側壁１２に接触することを防止する。
【００１８】
支持枠２５ａ，２５ｂは、上下に配置された水平枠２４ａ，２４ｂの内部で、それぞれ、水平枠２４ａ，２４ｂの左右両端から水平枠２４ａ，２４ｂの左右方向の長さの１／４程度の位置に配置されている。この支持枠２５ａ，２５ｂは、上端部が支持枠２５ａに固定され、上下方向の中央よりも僅かに下方部分が水平枠２４ｂに固定されることによって、支持枠２５ａ，２５ｂに連結されている。この支持枠２５ａ，２５ｂは、水平枠２４ａを構成する金属棒と同じ太さの金属棒で構成されている。
【００１９】
支持枠２６ａ，２６ｂ，２６ｃは、上下に配置された水平枠２４ａ，２４ｂおよび左右に配置された支持枠２５ａ，２５ｂの内部で、それぞれ、水平枠２４ａ，２４ｂの前後方向の長さを４等分する位置に配置されている。この支持枠２６ａ，２６ｂ，２６ｃは、上端部が水平枠２４ａに固定され、上下方向の中央よりも僅かに下方部分が水平枠２４ｂに固定され、さらに下部が支持枠２５ａ，２５ｂに固定されることによって、水平枠２４ａ，２４ｂおよび支持枠２５ａ，２５ｂに連結されている。この支持枠２６ａ，２６ｂ，２６ｃは、支持枠２４ｂを構成する金属棒と同じ太さの金属棒で構成されている。
【００２０】
レール部２２は、左右方向に延びる細長い環状の部材で構成されており、連結部２８を介して、支持枠２５ａ，２５ｂの後方上部に固定されている。レール部２２の左右方向の長さは、網籠本体２１の左右方向の長さよりも長くなっており、網籠２０を前方から見ると、レール部２２の左右両側部分は同じ長さだけ網籠本体２１の左右両端から突出している。また、レール部２２の内周縁部で囲まれる部分に長孔２２ａが形成され、レール部２２の下部における左右方向の中央部分と、左側側部分とには、それぞれ下方に突出する円弧状の突出部が設けられている。この突出部を設けることによって長孔２２ａの上下方向の幅を下方に拡張する拡張部２２ｂ，２２ｃが形成されている。長孔２２ａおよび拡張部２２ｂ，２２ｃで本発明に係るガイド孔が構成される。また、レール部２２は、水平枠２４ｂや支持枠２６ａ，２６ｂ，２６ｃを構成する金属棒と同じ太さの金属棒で構成されている。
【００２１】
連結部２８は、レール部２２を構成する金属棒と同じ太さの１本の金属棒を曲げることにより構成されており、縦長で開放側が下部側に形成された略Ｃ字状の空間形成部２８ａ，２８ｂと、空間形成部２８ａ，２８ｂの上部側の端部どうしを結ぶ水平部２８ｃとからなっている。空間形成部２８ａ，２８ｂは開放側部分を後方に向けた状態で支持枠２５ａ，２５ｂの後部の上部側に固定され、下方の端部がレール部２２の下部に固定されている。そして、水平部２８ｃがレール部２２の上部に固定されることによって、レール部２２を網籠本体２１に連結している。また、図５に示した空間形成部２８ａ（，２８ｂ）によって囲まれる空間を左右に延ばした部分で、通路空間２８ｄが構成される。
【００２２】
また、側壁１２には、図６に示した一対の係合ピン３０ａ，３０ｂが設置されており、前述した網籠２０は、この係合ピン３０ａ，３０ｂを介して側壁１２に取り付けられている。係合ピン３０ａ，３０ｂは、図７に示したように、細径の支軸部３１と、支軸部３１よりも大径の抜け止め用突部３２とで構成されている。なお、図７は、係合ピン３０ａを示しているが、係合ピン３０ｂも係合ピン３０ａと同一形状をしている。係合ピン３０ａ，３０ｂは、レール部２２の拡張部２２ｂ，２２ｃと同じ間隔で、側壁１２の上部側部分の左右方向の略中央に左右に並んで設置されている。
【００２３】
支軸部３１は、直径が、レール部２２の長孔２２ａの上下方向の長さよりも小さく、軸方向の長さがレール部２２を構成する金属棒の直径よりも長くなった円柱状に形成されている。また、抜け止め用突部３２は、直径が、レール部２２の長孔２２ａの上下方向の長さよりも大きく、ガイド孔における拡張部２２ｂ，２２ｃが形成された部分の上下方向の長さよりも小さい肉厚の円板状に形成されて、拡張部２２ｂ，２２ｃは通過できるが、長孔２２ａは通過できなくなっている。また、抜け止め用突部３２の軸方向の長さは、通路空間２８ｄの前後方向の長さよりも短くなっている。
【００２４】
このように構成されているため、網籠２０を側壁１２に設置する際には、まず、レール部２２の拡張部２２ｂ，２２ｃを、係合ピン３０ａ，３０ｂに合わせて、網籠２０を側壁１２の正面から後方に移動させる。これによって、抜け止め用突部３２はそれぞれ拡張部２２ｂ，２２ｃを通って、レール部２２と網籠本体２１との間の通路空間２８ｄに位置する。その状態で、網籠２０を放すと、レール部２２の上部が係合ピン３０ａ，３０ｂの支軸部３１に支持されて図６の状態になる。その位置では、網籠２０は、係合ピン３０ａ，３０ｂから外れ易い状態になっている。
【００２５】
このため、網籠２０を右方向に移動させて、図８に示したように、拡張部２２ｂ，２２ｃの位置が係合ピン３０ａ，３０ｂの位置から離れるようにする。この状態では、レール部２２は、抜け止め用突部３２によって係合ピン３０ａ，３０ｂから外れることを防止された状態で、上部が支軸部３１に支持される。また、網籠２０を移動させる際に、係合ピン３０ｂの抜け止め用突部３２が、連結部２８の空間形成部２８ｂの位置を通過するが、抜け止め用突部３２は、空間形成部２８ｂ内の通路空間２８ｄ内を通過できる大きさになっているため、網籠２０は自由に移動できる。また、係合ピン３０ａの抜け止め用突部３２は、空間形成部２８ａ内の通路空間２８ｄ内を通過できる。このため、網籠２０は、レール部２２内に係合ピン３０ａ，３０ｂが位置する範囲で左右に位置を変更できる。
【００２６】
このようにして、側壁１２に設置された網籠２０内に、洗剤１８やスポンジ等を入れて、適宜使用することができる。通常は、網籠２０を側壁１２の中央近傍に位置させておくと良い。そして、水栓１４を水槽１１の中央に向けて食器や食品の洗浄を行う場合には、図２に示したように、網籠２０を側壁１２の右側に移動させる。また、浄水器水栓１５を使用する場合には、図１に示したように、網籠２０を側壁１２の左側に移動させる。これによって、シンク１０内空間を有効に利用できる。また、網籠２０を側壁１２に沿って移動させる際に、網籠２０は、レール部２２を介して係合ピン３０ａ，３０ｂに支持され、緩衝部２３ａ，２３ｂによって、網籠本体２１が側壁１２に接触することを防止される。このため、網籠２０を移動させることによる側壁１２の傷付きを防止できる。
【００２７】
このように、本実施形態に係るシンク１０では、網籠２０のレール部２２を側壁１２に設けた係合ピン３０ａ，３０ｂに係合させることによって、網籠２０を側壁１２に設置している。そして、レール部２２が係合ピン３０ａ，３０ｂに対して左右に移動可能になっているため、シンク１０を使う際に、網籠２０を適宜任意の方向に移動させることができる。このため、網籠２０が邪魔になることがなくなって、洗浄に使用するスペースを広く確保することができる。また、側壁１２に設けるのは小さな係合ピン３０ａ，３０ｂであるため、係合ピン３０ａ，３０ｂが、シンク１０の使用の際に邪魔になることもない。
【００２８】
また、レール部２２の拡張部２２ｂ，２２ｃを係合ピン３０ａ，３０ｂに位置合わせるだけで容易に網籠２０を側壁１２に設置することができる。そして、網籠２０を左右方向に移動させると、抜け止め用突部３２がレール部２２の長孔２２ａに係合した状態になってレール部２２から外れなくなる。このため、網籠２０に不意に力が加わってもレール部２２と係合ピン３０ａ，３０ｂとが外れることはなく、網籠２０は側壁１２に設置された状態に維持される。
【００２９】
さらに、拡張部２２ｂ，２２ｃ間の中心の位置をレール部２２の左右方向の中心の位置からずらしているので、レール部２２の左右方向の中心を、係合ピン３０ａ，３０ｂの間の中心に位置させた状態で網籠２０を設置したときに、網籠２０の脱落を防止できる。
【００３０】
（第２実施形態）
図９は、本発明の第２実施形態に係るシンク４０を示している。このシンク４０では、側壁４２に、本発明の第１の係合部を構成するレール孔４１が形成され、網籠２０ａに、前述した網籠２０のレール部２２および連結部２８に代えて本発明の第２の係合部を構成する一対のフック４３が設けられている。レール孔４１は、側壁４２の上部側部分で左右方向に延びており、表面側に位置する長孔４１ａと、長孔４１ａの奥側部分から上方に延びる通路空間４１ｂとからなる断面Ｌ形の孔で構成されている。
【００３１】
また、図９には、一対のフック４３のうちの一方のフック４３しか図示していないが、この一対のフック４３は同形に形成されて、網籠２０ａの網籠本体２１ａの後部に間隔を保って取り付けられている。フック４３は、網籠本体２１ａから後方に水平に延びる水平片４３ａと、水平片４３ａの後端から上方に延びる垂直片４３ｂとからなるＬ形の部材で構成されており、水平片４３ａの前端部は、左右に配置された一対の支持枠４５（一方しか図示せず）の後部の上部側にそれぞれ連結されている。水平片４３ａの上下方向の厚みと垂直片４３ｂの前後方向の厚みとは同じになっており、これらの厚みは、長孔４１ａの上下方向の幅や通路空間４１ｂの前後方向の幅よりも小さくなっている。このシンク４０のそれ以外の部分の構成は、前述したシンク１０と同一である。したがって、同一部分に同一符号を記して説明は省略する。
【００３２】
このように構成された網籠２０ａを側壁４２に設置する際には、まず、レール孔４１との係合が解除された状態の網籠２０ａを、図９に示した姿勢から時計周り方向に９０度回転させた状態で、フック４３を側壁４２のレール孔４１に近づける。そして、フック４３を垂直片４３ｂの先端側からレール孔４１内に入れながら網籠２０ａを反時計周り方向に回転させていく。これによって、網籠２０ａが、図９に示した姿勢になったときには、フック４３の水平片４３ａがレール孔４１の下方の縁部４２ａに支持され、フック４３の垂直片４３ｂが、側壁４２の表面と通路空間４１ｂとの間に形成された縁部４２ｂに係合した状態になる。
【００３３】
逆に、網籠２０ａを側壁４２から取り外す際には、図９に示した状態から網籠２０ａを上方に持ち上げるようにして、時計周り方向に回転することにより、フック４３とレール孔４１との係合を解除することができる。本実施形態に係るシンク４０によると、側壁４２に突起物がなくなるため、網籠２０ａを側壁４２から取り外したときでも、物が引っ掛かったりすることがなくなる。本実施形態に係るシンク４０のそれ以外の作用効果は、前述したシンク１０の作用効果と同様である。
【００３４】
（第３実施形態）
図１０は、本発明の第３実施形態に係るシンク５０を示している。このシンク５０では、側壁５２に、本発明の第２の係合部を構成する一対のフック５３が設けられ、網籠２０ｂに、前述した網籠２０のレール部２２および連結部２８に代えて本発明の第１の係合部を構成する長孔５６（図１１参照）が設けられている。図１０には、一対のフック５３のうちの一方のフック５３しか図示していないが、この一対のフック５３は同形に形成されて、側壁５２の上部側部分に左右方向に間隔を保って取り付けられている。フック５３は、側壁５２から前方に水平に延びる水平片５３ａと、水平片５３ａの前端から上方に延びる垂直片５３ｂとからなるＬ形の部材で構成されている。
【００３５】
網籠２０ｂの網籠本体２１ｂは、後部の上部側が平面状の壁面部５７で構成されており、この壁面部５７に、図１１に示した長孔５６が壁面部５７を前後に貫通して形成されている。すなわち、網籠本体２１ｂには、上部に配置された水平枠５４ａおよび左右に配置された一対の支持枠５５（一方しか図示していない。）が備わっているが、水平枠５４ａは、前述した水平枠２４ａの後部を取り除いた形状に形成され、一対の支持枠５５は、前述した支持枠２５ａ，２５ｂの後部の上部側部分を取り除いた形状に形成されている。そして、水平枠５４ａおよび一対の支持枠５５の後部側の端部はそれぞれ壁面部５７に連結されている。
【００３６】
水平片５３ａの上下方向の厚みと垂直片５３ｂの前後方向の厚みとは略同じになっており、これらの厚みは、長孔５６の上下方向の幅よりも小さくなっている。このため、前述した第２実施形態において説明した操作と同じ操作により、網籠２０ｂを側壁５２に設置したり、側壁５２から取り外したりすることができる。このシンク５０のそれ以外の部分の構成は、前述したシンク１０と同一である。したがって、同一部分に同一符号を記して説明は省略する。また、本実施形態に係るシンク５０によっても、前述したシンク１０と同様の作用効果を得ることができる。
【００３７】
また、本発明に係るシンクは、前述した各実施形態に限定するものでなく、適宜変更して実施することができる。例えば、前述した実施形態では、係合ピン３０ａ，３０ｂ、レール孔４１または一対のフック５３を側壁１２，４２，５２に設けて、網籠２０，２０ａ，２０ｂを側壁１２，４２，５２に設置しているが、係合ピン３０ａ，３０ｂ等をカウンター１３に設けて網籠２０，２０ａ，２０ｂが側壁１２，４２，５２に位置するようにしてもよい。また、前述した実施形態では、物品支持具を網籠で構成しているが、この物品支持具としては、箱状の容器であってもよいし、棚状のものであってもよい。物品支持具は、洗剤やスポンジ等、シンクで使用する物品を支持できるものであればよい。また、箱状の容器や棚状のものであっても、水切り用の孔が備わっているものの方が好ましい。また、それ以外の部分の構成についても本発明の技術的範囲内で適宜変更することができる。
【符号の説明】
【００３８】
１０，４０，５０…シンク、１１…水槽、１２，４２，５２…側壁、１３…カウンター、２０，２０ａ，２０ｂ…網籠、２２…レール部、２２ａ，４１ａ，５６…長孔、２２ｂ，２２ｃ…拡張部、２８ｄ，４１ｂ…通路空間、３０ａ，３０ｂ…係合ピン、３１…支軸部、３２…抜け止め用突部、４１…レール孔、４３，５３…フック、４２ａ，４２ｂ…縁部。
【図１】
0005314648.tif 000002
【図２】
0005314648.tif 000003
【図３】
0005314648.tif 000004
【図４】
0005314648.tif 000005
【図５】
0005314648.tif 000006
【図６】
0005314648.tif 000007
【図７】
0005314648.tif 000008
【図８】
0005314648.tif 000009
【図９】
0005314648.tif 000010
【図１０】
0005314648.tif 000011
【図１１】
0005314648.tif 000012